(57)【要約】【課題】極低濃度イオンを除去する能力と、高い透水性と長寿命を有するイオン交換フィルタを提供する。【解決手段】イオン交換フィルタ１は、水透過性の筒体２と、この筒体２の外周に巻回された、流路材シート４とイオン交換シート５との積層シート３とを備えている。被処理液は流路材シート４内を矢印Ａの通りスパイラル状に流れ、この間にイオン交換シート５と接触し、脱イオン処理される。流路材シート４内を流れている液は、開口８に遭遇すると、その一部が矢印Ｂのように該開口８を通って１層だけ内周側の流路材シート４にショートカットして流れる。開口８を通過した液はイオン交換フィルタ１を１周してから次の開口８に到達する。【選択図】図２
2011177705.tif 000002
【特許請求の範囲】
【請求項１】
イオン交換シートと流路材シートとの積層シートが液透過性の筒体の外周に複数の層を形成するようにスパイラル状に巻回されたイオン交換フィルタであって、該イオン交換シートには、被処理液を隣り合う層に短絡させるための開口が複数個設けられていることを特徴とするイオン交換フィルタ。
【請求項２】
請求項１において、前記イオン交換シートが、相当直径が１０〜１０００ｎｍのイオン交換繊維からなるイオン交換繊維不織布とイオン交換キャスト膜の一方、又は両方を重ねたものであることを特徴とするイオン交換フィルタ。
【請求項３】
請求項２において、前記イオン交換シートがイオン交換繊維不織布を含み、前記流路材シートの細孔径は該イオン交換繊維不織布の細孔径よりも大きいことを特徴とするイオン交換フィルタ。
【請求項４】
請求項１ないし３のいずれか１項において、１つの開口を通過した液がスパイラル方向に半周以上流れてから次の開口に到達するように各開口が配置されていることを特徴とするイオン交換フィルタ。
【請求項５】
請求項１ないし４のいずれか１項において、前記開口は、前記イオン交換シートの巻回長手方向の両側辺部に設けられていることを特徴とするイオン交換フィルタ。
【発明の詳細な説明】
【技術分野】
【０００１】
本発明は、水、水溶液、有機溶媒等の液体の処理において、あるいは気液混合物の処理において、被処理流体に含まれる微量の金属、微粒子等を吸着分離、排除分離するためのイオン交換フィルタに関するものである。
【背景技術】
【０００２】
半導体製造プロセスなどで用いられる超純水の高純度化の要求は年々厳しくなってきている。ＩＴＲＳ２００５によると、２００８年には超純水中の金属イオン濃度を０．５ｎｇ／Ｌ以下にするロードマップが提示されているが、半導体製造各社は、金属濃度がより低濃度の超純水を求めている。水処理メーカーは前倒しで金属イオン濃度を低減しており、最新の超純水製造設備においては、ほとんどの金属を０．５ｎｇ／Ｌ以下に低減した超純水を製造することができるものもある。
【０００３】
超純水中の金属濃度を低減する方法として、ユースポイント直前にイオン交換フィルタを設置する方法がある。
【０００４】
従来のイオン交換フィルタとして、不織布あるいは多孔質膜といった平膜をプリーツ型にしたもの（例えば特許文献１の図５）がある。
【０００５】
また、樹脂を充填したイオン交換フィルタも公知である（例えば、特許文献１の図９）。なお、市販の樹脂充填型イオン交換で１０インチサイズのものは、操作圧力を０．１ＭＰａかけた時の透過流量が２００Ｌ／ｈ程度である。
【０００６】
イオン交換膜として、イオン交換樹脂を溶媒中に溶解または分散させてキャスト原液とし、該キャスト原液を基材フィルム上にキャストさせた後、乾燥させて、次いで該基材フィルムから剥離させたキャスト膜が公知である（例えば特許文献２，３）。この特許文献３には、相分離法を利用して製造した多孔質のイオン交換膜が記載されている。
【０００７】
繊維径がナノメーターオーダーである極細のナノファイバの製造方法として電界紡糸法（静電紡糸法）が公知である（下記特許文献４，５等）。
【先行技術文献】
【特許文献】
【０００８】
【特許文献１】特開２００９−５０７６１
【特許文献２】特開２０００−３２７８０９
【特許文献３】特開２００６−１９３７０９
【特許文献４】特開２００７−９２２３７
【特許文献５】特開２００６−１４４１３８
【発明の概要】
【発明が解決しようとする課題】
【０００９】
プリーツ型イオン交換フィルタは、プリーツの折り込み部分に流れが偏りやすく、上述の超純水のような極低濃度域では十分な除去率を得ることはできない。また、膜厚が薄いために破過が早く寿命が短い。また、イオン除去率を向上させるため、膜厚を厚くしたり、膜の細孔を小さくすると、透水性が犠牲となる。例えば、繊維径が小さい、フィルタ厚みが大きい、或いは巻き回し回数が多いといったときは、圧損が大きくなると共に濾過速度が小さくなり必要な性能を出すことが困難になる。特に極細のナノファイバーで構成されるフィルタはこの傾向が顕著である。
【００１０】
本発明は、半導体産業等における超純水の高純度化の要求を満たす、極低濃度イオンを除去する能力と、高い透水性と長寿命を有するイオン交換フィルタを提供することを目的とするものである。
【課題を解決するための手段】
【００１１】
請求項１のイオン交換フィルタは、イオン交換シートと流路材シートとの積層シートが液透過性の筒体の外周に複数の層を形成するようにスパイラル状に巻回されたイオン交換フィルタであって、該イオン交換シートには、被処理液を隣り合う層に短絡させるための開口が複数個設けられていることを特徴とするものである。
【００１２】
請求項２のイオン交換フィルタは、請求項１において、前記イオン交換シートが、相当直径が１０〜１０００ｎｍのイオン交換繊維からなるイオン交換繊維不織布とイオン交換キャスト膜の一方、又は両方を重ねたものであることを特徴とするものである。
【００１３】
請求項３のイオン交換フィルタは、請求項２において、前記イオン交換シートがイオン交換繊維不織布を含み、前記流路材シートの細孔径は該イオン交換繊維不織布の細孔径よりも大きいことを特徴とするものである。
【００１４】
請求項４のイオン交換フィルタは、請求項１ないし３のいずれか１項において、１つの開口を通過した液がスパイラル方向に半周以上流れてから次の開口に到達するように各開口が配置されていることを特徴とするものである。
【００１５】
請求項５のイオン交換フィルタは、請求項１ないし４のいずれか１項において、前記開口は、前記イオン交換シートの巻回長手方向の両側辺部に設けられていることを特徴とするものである。
【発明の効果】
【００１６】
本発明のイオン交換フィルタは、液透過性の筒体の外周に、流路材シートとイオン交換シートとの積層シートを複数の層を形成するようにスパイラル状に巻回したものである。被処理液は流路材シートに沿ってスパイラル方向に流れ、この間にイオン交換シートと接触してイオン交換処理される。被処理液がこのようにスパイラル方向に流れるので、被処理液とイオン交換シートとの接触時間が長くなり、十分に脱イオン処理されると共に、フィルタの寿命も長いものとなる。
【００１７】
本発明では、イオン交換シートに短絡用の開口が設けられており、被処理液の一部は、この開口を通って隣り合う層に短絡的にショートカットして流れる。これにより、イオン交換フィルタの通水圧損も低くなる。
【００１８】
本発明では、１つの開口を通過した液がスパイラル方向に半周以上流れてから次の開口に到達するように開口をずらして配置することが好ましい。これにより、被処理液が過度に短絡的に流れることが防止され、処理液が十分に脱イオン処理される。
【図面の簡単な説明】
【００１９】
【図１】実施の形態に係るイオン交換フィルタを示す構成図である。
【図２】実施の形態に係るイオン交換フィルタの断面図である。
【図３】別の実施の形態に係るイオン交換フィルタの断面図である。
【図４】異なる実施の形態に係るイオン交換フィルタに用いられる積層シートの断面図である。
【図５】異なる実施の形態に係るイオン交換フィルタに用いられる積層シートの平面図である。
【図６】フィルタカートリッジの断面図である。
【発明を実施するための形態】
【００２０】
以下、図面を参照して実施の形態について説明する。第１図の（ａ）図は実施の形態に係るイオン交換フィルタの製作方法を示す断面図、（ｂ）図は積層シートの断面図、（ｃ）図は積層シートの斜視図、（ｄ）図は積層シートの平面図である。第２図はイオン交換フィルタの筒体軸心方向と垂直方向の模式的な断面図である。
【００２１】
このイオン交換フィルタ１は、水透過性の筒体２と、この筒体２の外周に巻回された積層シート３とを有する。この積層シート３は、流路材シート４とイオン交換シート５とを積層したものである。
【００２２】
筒体２は円筒状であり、直径１〜１０ｍｍ程度の円形の小孔２ａを開口率１０〜９０％、特に３０〜８０％程度となるように設けたものである。なお、筒体２を多孔質の金属又はセラミックス焼結体のように透水性材料にて構成し、小孔２ａを省略してもよい。筒体２の内径は５〜５０ｍｍ程度が好適であるが、これに限定されない。筒体２の肉厚は０．５〜５ｍｍ程度が好適であるが、これに限定されない。
なお、小孔２ａの形状は円形に限定されず、楕円形、多角形などであってもよい。この場合、小孔の相当直径（＝小孔の面積／周囲長×４）を直径とみなす。
【００２３】
流路材シート４は、ポリオレフィン（ポリエチレン、ポリプロピレン）、ポリエステル、ポリスルホンなどよりなる不織布、織布、格子状ネットなどが好適である。流路材シートの厚さは０．１ｍｍ〜５ｍｍ、特に０．５〜２ｍｍ程度が好適であり、細孔径は１０μｍ以上（目開き：５０％〜９０％）程度が好適である。
【００２４】
イオン交換シート５は、イオン交換繊維の織布又は不織布、イオン交換キャスト膜などよりなる。このイオン交換シート５の好適例については後に詳述する。
【００２５】
積層シート３は、幅ａが約５０〜６００ｍｍ特に約１００〜４００ｍｍ程度で、筒体２に必要回数だけ巻き付けるのに十分な長さを有した帯状のものである。
【００２６】
この積層シート３にあっては、イオン交換シート５を貫通する開口８が設けられている。この実施の形態では、開口８は、積層シート３の長手方向（巻回方向）の両側辺３ａ，３ｂに沿って配列されている。
【００２７】
この実施の形態では、一方の側辺３ａに沿う開口８，８同士の中間点と対称状に、他方の側辺３ｂ側に開口８が位置している。開口８から直近の側辺３ａ又は３ｂまでの距離ｂは５〜５０ｍｍ特に１０〜３０ｍｍ程度が好適である。開口８は、第２図では、積層シート３を２回巻き付けるたびに同一位相にて開口８が存在するように配設されている。
【００２８】
この積層シート３を筒体２の外周にスパイラル状（渦巻状）に巻回してイオン交換フィルタ１（第２図）とする。この巻き付けによる層の数（筒体２を回転させる場合は、合計の回転数）は５〜５０特に１０〜３０程度が好適である。なお、積層シート３を巻き付けるとロール状巻回体となるが、このロール状巻回体の端面はプレートや接着剤等の封止材料で封止し、端面からは被処理液が流入しないようにする。
【００２９】
第６図は、第１，２図のイオン交換フィルタ１を組み込んだフィルタカートリッジの一例を示す断面図である。
【００３０】
このフィルタカートリッジ１０は、被処理水の流入口１１と濾過水の流出口１２とを有したケーシング１３内に、イオン交換フィルタ１を、筒軸方向が上下方向となるように配置したものである。
【００３１】
イオン交換フィルタ１の下面には、筒体２の一端側を閉塞するエンドプレートを兼ねたフランジ２４が設けられている。イオン交換フィルタ１の上端面にはフランジ２５が設けられている。筒体２の上端は、上方に延出し、その先端に連結用フランジ２ｂが設けられている。
【００３２】
流出口１２には、濾過水取出管１４が連なっている。この取出管１４の下端にフランジ１４ａが設けられ、上記筒体２のフランジ２ｂと連結されている。なお、このようなフランジ２ｂ，１４ａによる連結の代わりに、筒体２の上端と取出管１４の下端同士を、Ｏリングを介して嵌合させるようにしてもよい。
【００３３】
被処理水は、流入口１１からケーシング１３内に導入され、イオン交換フィルタ１を求心方向に透過し、小孔２ａから筒体２内に流入し、取出管１４、流出口１２を介して取り出される。
【００３４】
被処理液は、このイオン交換フィルタ１の外周面から流路材シート４内を第２図の矢印Ａの通りスパイラル状に流れ、この間に流路材シート４の外周側及び内周側の両側に存在するイオン交換シート５と接触し、脱イオン処理される。被処理液がこのようにスパイラル状に流れるので、被処理液とイオン交換シート５との接触時間が長く、十分に脱イオン処理される。
【００３５】
この実施の形態では、イオン交換シート５に、同一断面において重ね合せシートの２周に１回の頻度で開口８が存在するように所定間隔をおいて開口８が設けられている。流路材シート４内を流れている液は、開口８に遭遇すると、その一部が第２図の矢印Ｂのように該開口８を通って１層だけ内周側の流路材シート４にショートカットして短絡的に流れる。このため、通水圧損も低減される。流路材シート４の最内周まで流れてきた液は、小孔２ａを通って筒体２内に流入し、処理液として取り出される。
【００３６】
この実施の形態では、開口８を通過した液はイオン交換フィルタ１を１周してから次の開口８に到達する。そのため、１つの開口８を通って次層へショートカットした液が直ちに次の開口を通ってさらに次層へショートカットするという事態が防止され、被処理液は十分に脱イオン処理されて筒体２に到達する。
【００３７】
なお、この説明では、被処理液は外周側から供給され、処理液が筒体２から取り出されているが、逆に筒体２内に被処理液が供給され、外周側から処理液が取り出されるように通液してもよい。
【００３８】
［別の実施の形態］
第１，２図のイオン交換フィルタ１では、重ね合せシートに２周に１回の頻度で開口８を設けており、１つの開口８を通った液は流路材シート４内を１周してから次の開口８に到達するよう構成しているが、第３図のイオン交換フィルタ１Ａでは、重ね合せシートに１．５周に１回の頻度で開口８を設けている。この場合、１個の開口８を通った液が流路材シート４内を少なくとも半周してから次の開口８に到達する。従って、この場合も、流路材シート４内を流れる液が次々と開口８を通り抜けて最内周に到達してしまうことがなく、十分に脱イオン処理が行われる。第３図のその他の構成は第２図と同様であり、同一符号は同一部分を示している。
【００３９】
第１，２図の実施の形態では、積層シート３は１枚の流路材シート４と、１枚のイオン交換シート５とからなっているが、１枚の流路材シート４上に複数枚のイオン交換シートを重ね合わせてもよい。第４図は、１枚の流路材シート４上に２枚のイオン交換シート６，７を重ね合わせた積層シート３を示している。イオン交換シート６，７は、いずれもイオン交換繊維の織布、イオン交換繊維の不織布及びイオン交換キャスト膜のいずれか１つである。イオン交換シート６，７は同種のものであってもよく、異種のものであってもよい。後者の場合、例えば、イオン交換繊維の不織布よりなるイオン交換シート６と、イオン交換キャスト膜よりなるイオン交換シート７とが例示されるが、組み合わせはこれに限定されない。
【００４０】
上記実施の形態では、開口８は円形であるが、楕円形、多角形などであってもよい。また、開口は「−」形のスリットであってもよい。第５図は、スリット状開口９（９ａ，９ｂ）を備えたイオン交換シート５Ａの平面図である。スリットはイオン交換シート５Ａの短手幅方向に延在していることが好ましい。スリットの長さｅは、イオン交換シート５Ａの幅ａの１〜３０％特に５〜１５％程度が好ましい。
【００４１】
第５図では、スリット状開口９は、両側辺部に配置された開口９ａと、幅方向中央に配置された開口９ｂとからなる。両側辺の開口９ａ，９ａは同一直線上に配置されているが、これに限定されない。開口９ａと直近のイオン交換シート側辺との距離ｆは、５〜５０ｍｍ特に１０〜３０ｍｍ程度であることが好ましい。
【００４２】
［イオン交換シートの詳細な説明］
イオン交換シートは、前述の通り、キャスト膜や、イオン交換繊維の織布又は不織布などが用いられる。以下に、これらについて詳細に説明する。なお、キャスト膜や、イオン交換繊維の織布又は不織布を２層以上重ねた複層イオン交換シートを用いてもよい。
【００４３】
［１］  イオン交換シートの種類
（１）  イオン交換繊維シート
イオン交換繊維としては以下の（ａ）〜（ｄ）の材料を電界紡糸法又は溶融紡糸法で紡糸したものが好適である。イオン交換繊維シートは、これらを単独又は複合で用いて不織布または織布としたものである。
【００４４】
（ａ）荷電性高分子繊維としてパーフルオロカーボンスルホン酸重合体（ナフィオン（登録商標）、フミオン（ペルフルオロスルホン酸イオノマー、ＦｕＭＡ−Ｔｅｃｈ  Ｇｍｂｈ））
（ｂ）非荷電性高分子繊維からなる基材にイオン交換基が化学的に付与されたもの
（ｃ）荷電性高分子繊維としてパーフルオロカーボンスルホン酸重合体（ナフィオン（登録商標）、フミオン）を骨格材に担持して骨格材と一体化したもの
（ｄ）非荷電性高分子繊維からなる基材にイオン交換基が化学的に付与されたものを骨格材と一体化したもの
高い機械的強度を得るには上記（ｃ）または（ｄ）のものが好ましい。
【００４５】
不織布または織布の厚さは０．０１〜０．５ｍｍ（１０〜５００μｍ）程度が好適であり、細孔径は０．１〜１０μｍ（エアーフロー法により測定、以下同様）程度が好適であり、イオン交換容量は０．０５〜２ｍｅｑ／ｇ、０．０３〜１．５ｍｅｑ／ｃｍ３程度が好適である。
イオン交換シートの少なくとも一部をイオン交換繊維の不織布にて構成する場合、流路材シート４の細孔径は、該不織布の細孔径よりも大きいことが好ましく、具体的には１００〜１００００倍程度であることが望ましい。
【００４６】
（２）  イオン交換キャスト膜
イオン交換キャスト膜としては以下の（ｅ）〜（ｈ）の１種又は２種以上を用いて相分離法などにより製造した多孔質膜が好適である。
【００４７】
（ｅ）パーフルオロカーボンスルホン酸重合体（ナフィオン（登録商標）、フミオン）をガラスなどの基板上に塗布した後に基板を取り除いたフィルム状のもの
（ｆ）非荷電性高分子からなる基材にイオン交換基が化学的に付与されたものをガラスなどの基板上に塗布した後に基板を取り除いたフィルム状のもの
（ｇ）パーフルオロカーボンスルホン酸重合体（ナフィオン（登録商標）、フミオン）を骨格材に塗布して骨格材と一体化したもの
（ｈ）非荷電性高分子からなる基材にイオン交換基が化学的に付与されたものを骨格材に塗布して骨格材と一体化したもの
高い機械的強度を得るには上記（ｇ）または（ｈ）の方法が好ましい。
【００４８】
このキャスト膜の厚さは０．０１〜０．５ｍｍ（１０〜５００μｍ）程度が好適であり、細孔径は１μｍ以下が好適であり、イオン交換容量は０．２〜２ｍｅｑ／ｇ、０．１〜１．８ｍｅｑ／ｃｍ３程度が好適である。
【００４９】
上記の非荷電性高分子としては、ポリオレフィン、ポリスチレン、ポリスルホン、ポリエステル、ポリビニリデンフロライドなどが例示される。
【００５０】
イオン交換基としては、種々のカチオン交換基又はアニオン交換基等を用いることができる。例えば、カチオン交換基としては、スルホン基などの強酸性カチオン交換基、リン酸基などの中酸性カチオン交換基、カルボキシル基などの弱酸性カチオン交換基、アニオン交換基としては、第１級〜第３級アミノ基などの弱塩基性アニオン交換基、第４級アンモニウム基などの強塩基性アニオン交換基を用いることができ、或いは、上記カチオン交換基及びアニオン交換基の両方を併有するイオン交換体を用いることもできる。
【００５１】
骨格材としては、ポリオレフィン、ポリスチレン、ポリスルホン、ポリエステル、ポリビニリデンフロライドなどからなる不織布、織布などが例示される。
【００５２】
［２］  イオン交換繊維の繊維径、長さ
イオン交換繊維としては、相当直径が１〜１０００ｎｍ、特に１０〜７００ｎｍ程度の著しく細い繊維が好適である。ここで「相当直径」とは、１本の繊維（ファイバ）の断面積と断面積の外周長さとから、（相当直径）＝４×（断面積）／（断面の外周長さ）によって算出される値である。
【００５３】
イオン交換繊維の長さは、１μｍ以上が好適である。なお、電解紡糸で作製した場合、数十ｃｍの長さにすることができ、また連続的に紡糸することもできるため、上限なく長くすることができる。
【００５４】
［３］  イオン除去の性能
（１）  イオン交換繊維シートの場合
繊維表面をイオン交換の場とすることにより、繊維周辺における流体の接触効率が向上するため、イオンの吸着速度が高まる。
【００５５】
（２）  イオン交換キャスト膜の場合
イオンを除去するための官能基を高密度に保持させることができ、イオン除去容量を確保することができる。
【００５６】
［４］  圧力損失の抑制
イオン交換繊維シートの場合は、イオン交換繊維を細くして比表面積を大きくすることでイオン交換容量を高めることができるが、その反面、繊維層が厚くなると透過抵抗が増加して実用性が欠如するという問題が生じる。特にイオン交換繊維がナノファイバーのような極細繊維で構成されているときに顕著である。
【００５７】
一方、イオン交換キャスト膜はイオン交換繊維シートよりも緻密であり、透過抵抗はさらに高くなる。
【００５８】
そこで、これら、イオン交換繊維シートやイオン交換キャスト膜からなるイオン交換シートに開口を設け、流体を部分的に短絡させる。これにより、圧力損失を抑えることができるようになる。
【００５９】
［５］  開口の配置の詳細な説明
本発明では、１つの開口を通過した液が周方向に半周以上流れてから次の開口に到達することが好ましく、そのためには、開口は筒体２に巻回される積層シート３の１.５周以上に１回の割合で設けられることが好ましく、例えば、１．５〜３周に１個の割合で設けられることが好ましい。なお、開口同士の間隔を一定にする設定にする場合は、１つの開口を通り抜けた水が平均周囲長すなわち［｛（筒体２の周囲長）＋（イオン交換フィルタ１の外周の周囲長）｝／２］の０．５倍程度又はそれ以上流れてから次の開口に到達するように各開口を配列することが好ましい。
【００６０】
また、膜表面を有効に活用するためには、被処理液のうち所定量以上は開口８を通過（ショートカット）せずにスパイラルの流路に沿って１周以上流れるようにするのが好ましい。従って、開口の大きさは、流路材シートの厚さや目開きを勘案して、ショートカット流量比が所定範囲になるように設定することが好ましい。
【００６１】
さらに、膜表面を有効に活用する観点から、ある開口に対して次の開口を、第１図（ｄ）の如く、フィルタの長さ方向の一辺と他辺というように両辺に交互に配置することが好ましい。これにより開口をショートカットする被処理水も流路材シートの幅分だけイオン除去する流路を長くすることができる。
【００６２】
従来のフィルタと本発明のフィルタの吸着帯の長さの違いを第１図と具体的な数値の例示を交えて以下の通り説明する。
半径２０ｍｍの透水性筒体の外周にイオン交換シートを厚み２０ｍｍに巻き回した従来例に係るイオン交換フィルタに対し被処理水を求心方向（放射方向と反対方向）に通過させる場合、積層部分の厚さが吸着帯の長さとなり、２０ｍｍ程度となる。
これに対し、半径ｒ＝２０ｍｍの透水性筒体の外周に１．５ｍｍの積層シート３を第１図のように１３層巻き回して積層厚みを２０ｍｍとした外円半径Ｒ＝４０ｍｍのイオン交換フィルタにおいて、シート幅（フィルタの長さ）ａが１０インチ（２５４ｍｍ）であり、シートの側辺から長さｂが２７ｍｍの位置に両側に開口８が間隔をおいて複数設けられており、同じ側辺側の隣り合う開口８の間隔ｃが７４０ｍｍであり、巻き始め側から第１番目の開口８までの距離Ｌ１を２５０ｍｍとした本発明のイオン交換フィルタの場合、フィルタの吸着帯の全長は以下のように求められる。
積層の平均周囲長と積層数の積をシート全長Ｌとみなすと、Ｌ＝{２π（ｒ＋Ｒ）／２}×１３層≒２４５０ｍｍとなる。ここでＬ／ｃ×２＝６．６…なので、開口８の数は６個となる。一方、両側辺の対向する開口８の距離（流体が方向転換するまでの吸着帯の長さ）は√{（ｃ／２）２＋（ａ−２ｂ）２}≒４２０ｍｍとなる。従って本発明のフィルタの吸着帯の全長は４２０ｍｍ×６個≒２５００ｍｍ程度となる。
このように、従来のフィルタに流体を単純に透過させた場合の吸着帯の長さが２０ｍｍ程度であるのに対して、本発明のフィルタでは吸着帯の全長は２５００ｍｍ程度であり、従来の約１２５倍もの吸着帯長さを得ることができる。
【００６３】
外周面の半径ｒの透水性筒体２の外周に、第１図のように、積層シート３を巻回してイオン交換フィルタ１を製作する場合、イオン交換シート５の巻き始め側の端辺（短辺）から第ｎ番目までの開口８までの距離Ｌｎ（Ｌ１，Ｌ２，Ｌ３，Ｌ４，Ｌ５………）は、次式に則って定めるのが好ましい。
Ｌｎ＝（πＲｎ２−πｒ２）／（Ｔ＋ｔ）
Ｒｎ：ｎ番目の開口８と筒体３の軸心との半径方向の距離（ｍｍ）
ｒ：筒体３の外周面の半径（筒体３の外周面と軸心との半径方向の距離（ｍｍ）
Ｔ：流路材シート４の厚さ（ｍｍ）
ｔ：イオン交換シートの厚さ（ｍｍ）
【実施例】
【００６４】
以下の実施例及び比較例で使用したイオン交換シートは、表１に示すイオン交換繊維シートＦ１，Ｆ２又は、イオン交換キャスト膜Ｍ１又はＭ２である。使用した流路材シートは、表２に示したポリプロピレン製格子状ネットＳ１，Ｓ２又はＳ３である。用いた筒体２は、外径１０ｍｍ、内径６ｍｍのポリプロピレン製パイプよりなり、周面に直径２ｍｍの小孔を孔間隔２ｍｍで多数穿孔したものである。
【００６５】
【表１】
2011177705.tif 000003
【００６６】
【表２】
2011177705.tif 000004
【００６７】
［比較例１〜３］
直径１０ｍｍの筒体に、表１の比較例１〜３の通り、イオン交換繊維シート及び／又はイオン交換キャスト膜、流路材シートを重ねて外径８０ｍｍになるようにロール状に巻き回し、長さ２２５ｍｍになるようカットした。カットした両端面を水が抜けないように接着剤で封止した。
【００６８】
［実施例１〜４］
幅ａ＝２２５ｍｍのイオン交換シートの両側辺部に沿って、開口として直径２ｍｍの円形孔又は長さ２０ｍｍのスリットを８００ｍｍピッチで設けた。すなわち、第１図（ｄ）のｃを８００ｍｍとした。Ｌ１のみ４００ｍｍとした。イオン交換シートの側辺から開口までの距離はｂは１５ｍｍである。これを流路材シートと重ね合わせ、筒体の外周に外径８０ｍｍになるようにロール状に巻き回し、長さ２２５ｍｍになるようカットした。カットした面の両端を水が抜けないように接着した。なお、円形孔は第１図（ｄ）のように設け、スリットは第５図のスリット９ａのように設けた。
【００６９】
３）通水試験条件
フィルタを第６図のフィルタカートリッジにセットし、１ｎｇ／ＬのＮａイオンを含む純水を２０Ｌ／ｍｉｎで通水した。結果を表３に示す。
【００７０】
【表３】
2011177705.tif 000005
【００７１】
４）結果・考察
表３の通り、孔やスリットなどの開口を形成した実施例１〜３は長期にわたって圧損が上昇せず、フィルタ寿命も長いことが分かった。
【符号の説明】
【００７２】
１，１Ａ  イオン交換フィルタ
２  筒体
３  積層シート
４  流路材シート
５，６，７  イオン交換シート
８  開口
９  スリット状開口
１０  フィルタカートリッジ
１１  流入口
１２  流出口
１３  ケーシング
【図１】
2011177705.tif 000006
【図２】
2011177705.tif 000007
【図３】
2011177705.tif 000008
【図４】
2011177705.tif 000009
【図５】
2011177705.tif 000010
【図６】
2011177705.tif 000011